(57)【特許請求の範囲】
【請求項１】
送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けて転送することを可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されたショートメッセージサービスシステムであって、
前記ルーティング機能を有するノードは、既定の各受信側ユーザ端末装置グループ毎のグループ属性およびグループコードを含む受信側ユーザ端末装置グループデータを前記ＨＬＲから取得し、前記受信側ユーザ端末装置グループデータから選択したグループコードを含む前記既定様式の識別子である限定的識別子を形成し、前記限定的識別子を前記ルーティング情報と共に前記ゲートウェイ機能を有するノードに供給し、
前記ゲートウェイ機能を有するノードは、前記ルーティング機能を有するノードから供給された前記ルーティング情報に付帯する前記限定的識別子のグループコードに基づいて対応する受信側ユーザ端末装置グループを識別し、前記ＳＭＳメッセージを該識別した受信側ユーザ端末装置グループに適合する態様に変換するＳＭＳメッセージ変換処理を実行して変換ＳＭＳメッセージを生成し、該生成した変換ＳＭＳメッセージを前記ルーティング機能を有するノードに供給し、
更に、前記ルーティング機能を有するノードは、前記ゲートウェイ機能を有するノードから供給された前記変換ＳＭＳメッセージを該当する受信側ユーザ端末装置に配信するように構成されていることを特徴とするショートメッセージサービスシステム。
【請求項２】
前記ルーティング機能を有するノードは、
既定の各受信側ユーザ端末装置グループ毎のグループ属性およびグループコードを含む受信側ユーザ端末装置グループデータを取得する受信側ユーザ端末装置グループデータ取得部と、
受信側ユーザ端末装置グループデータ取得部によって取得された前記受信側ユーザ端末装置グループデータから一以上のグループコードを選択し、該選択した一以上のグループコードを含み且つ前記既定様式を充足するように前記限定的識別子を形成する限定的識別子形成処理部と、
前記受信側通信事業者網におけるＨＬＲ、および、前記送信側通信事業者網における前記ゲートウェイ機能を有するノードを含む関連ノードとの通信を行う通信部と、
前記限定的識別子形成処理部で形成された限定的識別子を前記ルーティング情報と共に前記通信部を通して前記ゲートウェイ機能を有するノードに供給するグループ情報通知処理部と、
前記ゲートウェイ機能を有するノードから前記通信部を通して供給された前記変換ＳＭＳメッセージである場合を含むＳＭＳメッセージを前記通信部を通して該当する受信側ユーザ端末装置に配信する配信処理部と、
を備えていることを特徴とする請求項１に記載のショートメッセージサービスシステム。
【請求項３】
前記ゲートウェイ機能を有するノードは、
前記受信側通信事業者網におけるＨＬＲ、および、受信側通信事業者網における前記ルーティング機能を有するノードを含む関連ノードとの通信を行う通信部と、
前記通信部を通して前記ルーティング機能を有するノードから供給された前記限定的識別子に含まれる前記グループコードに基づいて受信側ユーザ端末装置グループを識別する受信側ユーザ端末装置グループ識別部と、
前記ＳＭＳメッセージを前記受信側ユーザ端末装置グループ識別部で識別された受信側ユーザ端末装置グループに適合する態様に変換するＳＭＳメッセージ変換処理を実行して変換ＳＭＳメッセージを生成する変換ＳＭＳメッセージ生成部と、
前記変換ＳＭＳメッセージ生成部で生成された変換ＳＭＳメッセージを前記通信部を通して前記ルーティング機能を有するノードに供給する変換ＳＭＳメッセージ供給部と、
を備えていることを特徴とする請求項１に記載のショートメッセージサービスシステム。
【請求項４】
送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けての転送を可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されるショートメッセージサービスシステムに適合するルーティング機能を有するノードであって、
既定の各受信側ユーザ端末装置グループ毎のグループ属性およびグループコードを含む受信側ユーザ端末装置グループデータを保持する受信側ユーザ端末装置グループデータ取得部と、
受信側ユーザ端末装置グループデータ取得部によって取得された前記受信側ユーザ端末装置グループデータから一以上のグループコードを選択し、該選択した一以上のグループコードを含み且つ前記既定様式を充足する前記識別子である限定的識別子を形成する限定的識別子形成処理部と、
前記受信側通信事業者網におけるＨＬＲ、および、前記送信側通信事業者網における前記ゲートウェイ機能を有するノードを含む関連ノードとの通信を行う通信部と、
前記限定的識別子形成処理部で形成された限定的識別子を前記ルーティング情報と共に前記通信部を通して前記ゲートウェイ機能を有するノードに供給するグループ情報通知処理部と、
前記ゲートウェイ機能を有するノードで所要に応じて受信側ユーザ端末装置グループに適合する態様に変換する処理を施して形成された変換ＳＭＳメッセージである場合を含むＳＭＳメッセージを前記通信部を通して前記ゲートウェイ機能を有するノードから供給されて、該供給されたＳＭＳメッセージを前記通信部を通して該当する受信側ユーザ端末装置に配信する配信処理部と、
を備えていることを特徴とするルーティング機能を有するノード。
【請求項５】
３ＧＰＰ（The 3rd Generation Partnership Project）において規定されたSMS Home Routingの仕様に適合するSMS-Routerとして構成されていることを特徴とする請求項４に記載のルーティング機能を有するノード。
【請求項６】
前記受信側ユーザ端末装置グループデータ取得部は、前記各受信側ユーザ端末装置グループ毎の既定のグループ属性を表すグループ属性情報を、前記各受信側ユーザ端末装置グループを一意に特定するグループコードであるグループＩＤと対応付けられる形で取得することを特徴とする請求項４に記載のルーティング機能を有するノード。
【請求項７】
前記限定的識別子形成処理部は、前記既定様式の識別子としての３ＧＰＰ（The 3rd Generation Partnership Project）において規定されたSMS Home Routingの仕様の一つであるCorrelation-IDの部分を構成するSender IDにおいて前記グループコードを表記することによって前記限定的識別子を形成することを特徴とする請求項４に記載のルーティング機能を有するノード。
【請求項８】
送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けての転送を可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されるショートメッセージサービスシステムに適合するゲートウェイ機能を有するノードであって、
前記受信側通信事業者網におけるＨＬＲ、および、受信側通信事業者網における前記ルーティング機能を有するノードを含む関連ノードとの通信を行う通信部と、
前記通信部を通して前記ルーティング機能を有するノードから供給された前記ルーティング情報に付帯し既定の受信側ユーザ端末装置グループを表すグループコードを含む前記識別子である限定的識別子の前記グループコードに基づいて受信側ユーザ端末装置グループを識別する受信側ユーザ端末装置グループ識別部と、
前記ＳＭＳメッセージを前記受信側ユーザ端末装置グループ識別部で識別された受信側ユーザ端末装置グループに適合する態様に変換するＳＭＳメッセージに変換処理を実行して変換ＳＭＳメッセージを生成する変換ＳＭＳメッセージ生成部と、
前記変換ＳＭＳメッセージ生成部で生成された変換ＳＭＳメッセージを前記通信部を通して前記ルーティング機能を有するノードに供給する変換ＳＭＳメッセージ供給部と、
を備えていることを特徴とするゲートウェイ機能を有するノード。
【請求項９】
３ＧＰＰ（The 3rd Generation Partnership Project）において規定されたＧＭＳＣ（Gateway Mobile Switching Centre）として構成されていることを特徴とする請求項８に記載のゲートウェイ機能を有するノード。
【請求項１０】
送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けて転送することを可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されたショートメッセージサービスシステムにおけるＳＭＳメッセージ転送方法であって、
前記ルーティング機能を有するノードによって、既定の各受信側ユーザ端末装置グループ毎のグループ属性およびグループコードを含む受信側ユーザ端末装置グループデータから選択したグループコードを含み且つ前記既定様式を充足する前記識別子である限定的識別子を形成し、前記限定的識別子を前記ルーティング情報と共に前記ゲートウェイ機能を有するノードに供給する受信側ユーザ端末装置グループ情報供給ステップと、
前記ゲートウェイ機能を有するノードによって、前記受信側ユーザ端末装置グループ情報供給ステップで供給された前記限定的識別子のグループコードに基づいて対応する受信側ユーザ端末装置グループを識別し、前記ＳＭＳメッセージを該識別した受信側ユーザ端末装置グループに適合する態様に変換するＳＭＳメッセージ変換処理を実行して変換ＳＭＳメッセージを生成し、該生成した変換ＳＭＳメッセージを前記ルーティング機能を有するノードに供給する変換ＳＭＳメッセージ供給ステップと、
前記ルーティング機能を有するノードによって、前記変換ＳＭＳメッセージ供給ステップで供給された前記変換ＳＭＳメッセージである場合を含むＳＭＳメッセージを該当する受信側ユーザ端末装置に配信するＳＭＳメッセージ配信ステップと、
を含むことを特徴とするＳＭＳメッセージ転送方法。
【発明の詳細な説明】
【技術分野】
【０００１】
本発明は、ショートメッセージサービス（ＳＭＳ：Short Message Service）を提供する通信事業者が異なる網間で実現するショートメッセージサービスシステム、ゲートウェイ機能を有するノード、ルーティング機能を有するノード、および、ＳＭＳメッセージ転送方法に関する。
【背景技術】
【０００２】
一般に、複数の異なる通信事業者間でのショートメッセージサービスの実施においては、受信側端末装置に関する情報として送信側の通信事業者が認識できるのは、受信側端末装置の在圏情報、ショートメッセージサービスへの対応の可否（応答がエラーであるときに対応不可と見る）、受信側端末装置が加入している通信事業者等である。
一方、他の通信事業者の網（他網）に属する受信側端末装置毎の仕様の差異等によらず、送信側の通信事業者側が柔軟に対応することによって、多種多様な状況にあってもショートメッセージサービスを可能にしたいという一般的要請がある。
【０００３】
しかしながら、上述の通り、一般的に、送信側の通信事業者が受信側端末装置に関する情報として予め知ることができるのは在圏情報、ショートメッセージサービスへの対応の可否、および、受信側端末装置が加入している通信事業者を特定する情報等に限られる。即ち、送信側の通信事業者が受信側端末装置に関する情報の問合せに信号ＳＲＩ（Send Routing Information）を発し、これへの応答として取得されるのは、在圏情報、国番号、事業者番号に限られ、それ以上の情報を得る方途は無かった。従って、受信側端末装置に関する現状によく適合した形でのショートメッセージサービスを実現することが困難であった。
尚、予め設定したグループに属する受信側端末装置に対し、ショートメッセージサービスによる同報通信を可能にするシステムは既に提案されている（例えば、特許文献１参照）。
【０００４】
特許文献１には、ショートメッセージサービスのテキストメッセージングおよび複数のショートメッセージサービスベースのコマンドを使用してグループ通信を容易にするシステムおよび方法が提案されている。この提案では、通信サーバが、メッセージを分析することにより受信側グループを判別し、ショートメッセージを該当するグループのメンバーにリアルタイムで同報通信することが開示されている。この場合、グループはユーザによって定義することができるとされているが、必ずしもユーザの定義によらないデフォルトグループを決めておく方法を採ってもよい旨説明されている。
【０００５】
また、第１の通信システムから第２の別の携帯システムに、ショートメッセージサービスに係る情報をマップする装置及び方法が提案されている（例えば、特許文献２参照）。
特許文献２に開示の技術では、他網のノードとの間の通信を可能にするための「マッパ」と称されるプロトコルデータを用意しておき、該「マッパ」によってカバーすることが可能な限りで他網とのショートメッセージサービスを実現するものである。
更にまた、移動体通信加入者グループを定義しておき、これらのグループの各メンバーにグループ識別子を割り当てることによってグループの各メンバーを確立されたサービスにリンクさせるという提案がある（例えば、特許文献３参照）。
特許文献３には、当該サービスとしてショートメッセージサービスを含めることができる旨記述されている。
【先行技術文献】
【特許文献】
【０００６】
【特許文献１】特開２００５−２７８１４６号公報
【特許文献２】特表２００６−５１２７８９号公報
【特許文献３】特表２００１−５１７０４４号公報
【発明の概要】
【発明が解決しようとする課題】
【０００７】
しかしながら、上掲の何れの特許文献にも、送信側の通信事業者において簡易な方策を講じることによって、他網の受信側端末装置毎の仕様の差異等によらず、利用者に十分な利便性を提供可能なショートメッセージサービスの方途は示されていない。
本発明は上述のような状況に鑑みてなされたものであり、送信側の通信事業者において簡易な方策を講じることによって、他網の受信側端末装置においては機体毎の仕様の差異等によらず、利用者に十分な利便性を提供可能なショートメッセージサービスシステム、ゲートウェイ機能を有するノード、ルーティング機能を有するノード、および、ＳＭＳメッセージ転送方法を提供することをその目的とする。
【課題を解決するための手段】
【０００８】
上記課題を解決するために、本願では、次に列挙するような技術を提案する。
尚、本明細書および対応する特許請求の範囲における「ルーティング情報」の語は、宛て先へのルーティングに関する情報である。そして、この語を例示的に言えば、ＩＭＳＩ（International Mobile Subscriber Identity）および在圏情報等、移動体通信におけるルーティングを実現するための該当する所要のパラメータである。従って、当業者にて明らかな通り、ルーティングの処理過程に応じたパラメータとしての種別と、該当するタイミング等に応じて、種々の具体的値ないし事象を表す。
【０００９】
（１）送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けて転送することを可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されたショートメッセージサービスシステムであって、
前記ルーティング機能を有するノードは、既定の各受信側ユーザ端末装置グループ毎のグループ属性およびグループコードを含む受信側ユーザ端末装置グループデータを前記ＨＬＲから取得し、前記受信側ユーザ端末装置グループデータから選択したグループコードを含む前記既定様式の識別子である限定的識別子を形成し、前記限定的識別子を前記ルーティング情報と共に前記ゲートウェイ機能を有するノードに供給し、
前記ゲートウェイ機能を有するノードは、前記ルーティング機能を有するノードから供給された前記ルーティング情報に付帯する前記限定的識別子のグループコードに基づいて対応する受信側ユーザ端末装置グループを識別し、前記ＳＭＳメッセージを該識別した受信側ユーザ端末装置グループに適合する態様に変換するＳＭＳメッセージ変換処理を実行して変換ＳＭＳメッセージを生成し、該生成した変換ＳＭＳメッセージを前記ルーティング機能を有するノードに供給し、
更に、前記ルーティング機能を有するノードは、前記ゲートウェイ機能を有するノードから供給された前記変換ＳＭＳメッセージを該当する受信側ユーザ端末装置に配信するように構成されていることを特徴とするショートメッセージサービスシステム。
【００１０】
上記（１）のショートメッセージサービスシステムは、送信側通信事業者網に設けられたゲートウェイ機能を有するノードと、受信側通信事業者網に設けられたルーティング機能を有するノードとを含んで構成される。
前記ゲートウェイ機能を有するノードは送信側通信事業者網におけるＳＭＳＣ（ショートメッセージサービスセンター）に保持されたＳＭＳメッセージを受信側通信事業者網における受信側ユーザ端末装置に向けて転送することを可能にする機能を有する。
【００１１】
前記上記ルーティング機能を有するノードは、ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、該取得した前記ルーティング情報に対応付けて既定様式の識別子を割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有する。
【００１２】
そして、前記ルーティング機能を有するノードは、既定の各受信側ユーザ端末装置グループ毎のグループ属性およびグループコードを含む受信側ユーザ端末装置グループデータを前記ＨＬＲから取得し、前記受信側ユーザ端末装置グループデータから選択したグループコードを含む前記既定様式の識別子である限定的識別子を形成し、前記限定的識別子を前記ルーティング情報と共に前記ゲートウェイ機能を有するノードに供給する。
【００１３】
また、前記ゲートウェイ機能を有するノードは、前記ルーティング機能を有するノードから供給された前記ルーティング情報に付帯する前記限定的識別子のグループコードに基づいて対応する受信側ユーザ端末装置グループを識別し、前記ＳＭＳメッセージを該識別した受信側ユーザ端末装置グループに適合する態様に変換するＳＭＳメッセージ変換処理を実行して変換ＳＭＳメッセージを生成し、該生成した変換ＳＭＳメッセージを前記ルーティング機能を有するノードに供給する。
【００１４】
そして、前記ルーティング機能を有するノードは、前記ゲートウェイ機能を有するノードから供給された前記変換ＳＭＳメッセージを該当する受信側ユーザ端末装置に配信する。
従って、各該当する受信側ユーザ端末装置では、前記ルーティング機能を有するノードから各自装置に適合する態様のＳＭＳメッセージ（変換ＳＭＳメッセージ）を受信できる。
【００１５】
（２）前記ルーティング機能を有するノードは、
既定の各受信側ユーザ端末装置グループ毎のグループ属性およびグループコードを含む受信側ユーザ端末装置グループデータを取得する受信側ユーザ端末装置グループデータ取得部と、
受信側ユーザ端末装置グループデータ取得部によって取得された前記受信側ユーザ端末装置グループデータから一以上のグループコードを選択し、該選択した一以上のグループコードを含み且つ前記既定様式を充足するように前記限定的識別子を形成する限定的識別子形成処理部と、
前記受信側通信事業者網におけるＨＬＲ、および、前記送信側通信事業者網における前記ゲートウェイ機能を有するノードを含む関連ノードとの通信を行う通信部と、
前記限定的識別子形成処理部で形成された限定的識別子を前記ルーティング情報と共に前記通信部を通して前記ゲートウェイ機能を有するノードに供給するグループ情報通知処理部と、
前記ゲートウェイ機能を有するノードから前記通信部を通して供給された前記変換ＳＭＳメッセージである場合を含むＳＭＳメッセージを前記通信部を通して該当する受信側ユーザ端末装置に配信する配信処理部と、
を備えていることを特徴とする（１）のショートメッセージサービスシステム。
【００１６】
上記（２）のショートメッセージサービスシステムでは（１）のショートメッセージサービスシステムにおいて特に、前記ルーティング機能を有するノードは、受信側ユーザ端末装置グループデータ取得部と、限定的識別子形成処理部と、通信部と、グループ情報通知処理部と、配信処理部と、を備えている。
前記受信側ユーザ端末装置グループデータ取得部が、既定の各受信側ユーザ端末装置グループ毎のグループ属性およびグループコードを含む受信側ユーザ端末装置グループデータを保持している。
【００１７】
また、前記限定的識別子形成処理部が、受信側ユーザ端末装置グループデータ取得部によって取得された前記受信側ユーザ端末装置グループデータから一以上のグループコードを選択し、該選択した一以上のグループコードを含み且つ前記既定様式を充足するように前記限定的識別子を形成する。
前記通信部が、前記受信側通信事業者網におけるＨＬＲ、および、前記送信側通信事業者網における前記ゲートウェイ機能を有するノードを含む関連ノードとの通信を行う。
また、グループ情報通知処理部が、前記限定的識別子形成処理部で形成された限定的識別子を前記ルーティング情報と共に前記通信部を通して前記ゲートウェイ機能を有するノードに供給する。
【００１８】
そして、前記配信処理部が、前記ゲートウェイ機能を有するノードから前記通信部を通して供給された前記変換ＳＭＳメッセージである場合を含むＳＭＳメッセージを前記通信部を通して該当する受信側ユーザ端末装置に配信する。この場合、前記通信部を通して供給された前記変換ＳＭＳメッセージは該当する各受信側ユーザ端末装置に適合する態様のものである。
従って、各該当する受信側ユーザ端末装置では、前記ルーティング機能を有するノードから各自装置に適合する態様のＳＭＳメッセージ（変換ＳＭＳメッセージ）を受信できる。
【００１９】
（３）前記ゲートウェイ機能を有するノードは、
前記受信側通信事業者網におけるＨＬＲ、および、受信側通信事業者網における前記ルーティング機能を有するノードを含む関連ノードとの通信を行う通信部と、
前記通信部を通して前記ルーティング機能を有するノードから供給された前記限定的識別子に含まれる前記グループコードに基づいて受信側ユーザ端末装置グループを識別する受信側ユーザ端末装置グループ識別部と、
前記ＳＭＳメッセージを前記受信側ユーザ端末装置グループ識別部で識別された受信側ユーザ端末装置グループに適合する態様に変換するＳＭＳメッセージ変換処理を実行して変換ＳＭＳメッセージを生成する変換ＳＭＳメッセージ生成部と、
前記変換ＳＭＳメッセージ生成部で生成された変換ＳＭＳメッセージを前記通信部を通して前記ルーティング機能を有するノードに供給する変換ＳＭＳメッセージ供給部と、
を備えていることを特徴とする（１）のショートメッセージサービスシステム。
【００２０】
上記（３）のショートメッセージサービスシステムでは、上記（１）のショートメッセージサービスシステムにおいて特に、通信部と、受信側ユーザ端末装置グループ識別部と、変換ＳＭＳメッセージ生成部と、変換ＳＭＳメッセージ供給部と、を備えている。
前記通信部は、前記受信側通信事業者網におけるＨＬＲ、および、受信側通信事業者網における前記ルーティング機能を有するノードを含む関連ノードとの通信を行う。
【００２１】
また、前記受信側ユーザ端末装置グループ識別部が、前記通信部を通して前記ルーティング機能を有するノードから供給された前記限定的識別子に含まれる前記グループコードに基づいて受信側ユーザ端末装置グループを識別する。
更に、変換ＳＭＳメッセージ生成部が、前記ＳＭＳメッセージを前記受信側ユーザ端末装置グループ識別部で識別された受信側ユーザ端末装置グループに適合する態様に変換するＳＭＳメッセージ変換処理を実行して変換ＳＭＳメッセージを生成する。
【００２２】
そして、変換ＳＭＳメッセージ供給部が、前記変換ＳＭＳメッセージ生成部で生成された変換ＳＭＳメッセージを前記通信部を通して前記ルーティング機能を有するノードに供給する。
上記のように変換ＳＭＳメッセージ供給部から前記ルーティング機能を有するノードに供給される変換ＳＭＳメッセージは、該当する各受信側ユーザ端末装置に適合する態様のものである。
従って、各該当する受信側ユーザ端末装置では、前記ルーティング機能を有するノードから各自装置に適合する態様のＳＭＳメッセージ（変換ＳＭＳメッセージ）を受信できる。
【００２３】
（４）送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けての転送を可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されるショートメッセージサービスシステムに適合するルーティング機能を有するノードであって、
既定の各受信側ユーザ端末装置グループ毎のグループ属性およびグループコードを含む受信側ユーザ端末装置グループデータを保持する受信側ユーザ端末装置グループデータ取得部と、
受信側ユーザ端末装置グループデータ取得部によって取得された前記受信側ユーザ端末装置グループデータから一以上のグループコードを選択し、該選択した一以上のグループコードを含み且つ前記既定様式を充足する前記識別子である限定的識別子を形成する限定的識別子形成処理部と、
前記受信側通信事業者網におけるＨＬＲ、および、前記送信側通信事業者網における前記ゲートウェイ機能を有するノードを含む関連ノードとの通信を行う通信部と、
前記限定的識別子形成処理部で形成された限定的識別子を前記ルーティング情報と共に前記通信部を通して前記ゲートウェイ機能を有するノードに供給するグループ情報通知処理部と、
前記ゲートウェイ機能を有するノードで所要に応じて受信側ユーザ端末装置グループに適合する態様に変換する処理を施して形成された変換ＳＭＳメッセージである場合を含むＳＭＳメッセージを前記通信部を通して前記ゲートウェイ機能を有するノードから供給されて、該供給されたＳＭＳメッセージを前記通信部を通して該当する受信側ユーザ端末装置に配信する配信処理部と、
を備えていることを特徴とするルーティング機能を有するノード。
【００２４】
上記（４）のルーティング機能を有するノードは、送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けての転送を可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されるショートメッセージサービスシステムに適合する。
【００２５】
そして、このルーティング機能を有するノードは、通信部と、受信側ユーザ端末装置グループ識別部と、変換ＳＭＳメッセージ供給部と、配信処理部とを備えている。
前記通信部は、前記受信側通信事業者網におけるＨＬＲ、および、受信側通信事業者網における前記ルーティング機能を有するノードを含む関連ノードとの通信を行う。
また、前記受信側ユーザ端末装置グループ識別部が、前記通信部を通して前記ルーティング機能を有するノードから供給された前記限定的識別子に含まれる前記グループコードに基づいて受信側ユーザ端末装置グループを識別する。
【００２６】
更に、限定的識別子形成処理部が受信側ユーザ端末装置グループデータ取得部によって取得された前記受信側ユーザ端末装置グループデータから一以上のグループコードを選択し、該選択した一以上のグループコードを含み且つ前記既定様式を充足するように前記限定的識別子を形成する。
また、グループ情報通知処理部が前記限定的識別子形成処理部で形成された限定的識別子を前記ルーティング情報と共に前記通信部を通して前記ゲートウェイ機能を有するノードに供給する。
【００２７】
そして、配信処理部が、前記ゲートウェイ機能を有するノードで所要に応じて受信側ユーザ端末装置グループに適合する態様に変換する処理を施して形成された変換ＳＭＳメッセージである場合を含むＳＭＳメッセージを前記通信部を通して前記ゲートウェイ機能を有するノードから供給されて、該供給されたＳＭＳメッセージを前記通信部を通して該当する受信側ユーザ端末装置に配信する。
上記のように配信処理部から該当する受信側ユーザ端末装置に配信される変換ＳＭＳメッセージは、常に、それらの受信側ユーザ端末装置に適合する態様のものである。
即ち、各該当する受信側ユーザ端末装置では、前記ルーティング機能を有するノードから各自装置に適合する態様のＳＭＳメッセージ（変換ＳＭＳメッセージ）を受信できる。
【００２８】
（５）３ＧＰＰ（The 3rd Generation Partnership Project）において規定されたSMS Home Routingの仕様に適合するSMS-Routerとして構成されていることを特徴とする（４）のルーティング機能を有するノード。
上記（５）ルーティング機能を有するノードは、（４）のルーティング機能を有するノードにおいて特に、３ＧＰＰ（The 3rd Generation Partnership Project）において規定されたSMS Home Routingの仕様であるSMS-Routerとして適合する。
【００２９】
（６）前記受信側ユーザ端末装置グループデータ取得部は、前記各受信側ユーザ端末装置グループ毎の既定のグループ属性を表すグループ属性情報を、前記各受信側ユーザ端末装置グループを一意に特定するグループコードであるグループＩＤと対応付けられる形で取得することを特徴とする（４）のルーティング機能を有するノード。
上記（６）のルーティング機能を有するノードは、（４）のルーティング機能を有するノードにおいて特に、その受信側ユーザ端末装置グループデータ取得部が、前記受信側ユーザ端末装置グループデータを、前記各受信側ユーザ端末装置グループを一意に特定するグループコードであるグループＩＤと対応付けられる形で取得する。
【００３０】
（７）前記限定的識別子形成処理部は、前記既定様式の識別子としての３ＧＰＰ（The 3rd Generation Partnership Project）において規定されたSMS Home Routingの仕様の一つであるCorrelation-IDの部分を構成するSender IDにおいて前記グループコードを表記することによって前記限定的識別子を形成することを特徴とする（４）のルーティング機能を有するノード。
上記（７）のルーティング機能を有するノードは、上記（４）のルーティング機能を有するノードにおいて特に、その限定的識別子形成処理部は、前記既定様式の識別子としての３ＧＰＰ（The 3rd Generation Partnership Project）において規定されたSMS Home Routingの仕様の一つであるCorrelation-IDの部分を構成するSender IDにおいて前記グループコードを表記する。従って、現行のSMS Home Routingの仕様の一つであるCorrelation-IDをそのまま利用するため、本願発明の実施が極めて容易である。
【００３１】
（８）送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けての転送を可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されるショートメッセージサービスシステムに適合するゲートウェイ機能を有するノードであって、
前記受信側通信事業者網におけるＨＬＲ、および、受信側通信事業者網における前記ルーティング機能を有するノードを含む関連ノードとの通信を行う通信部と、
前記通信部を通して前記ルーティング機能を有するノードから供給された前記ルーティング情報に付帯し既定の受信側ユーザ端末装置グループを表すグループコードを含む前記識別子である限定的識別子の前記グループコードに基づいて受信側ユーザ端末装置グループを識別する受信側ユーザ端末装置グループ識別部と、
前記ＳＭＳメッセージを前記受信側ユーザ端末装置グループ識別部で識別された受信側ユーザ端末装置グループに適合する態様に変換するＳＭＳメッセージに変換処理を実行して変換ＳＭＳメッセージを生成する変換ＳＭＳメッセージ生成部と、
前記変換ＳＭＳメッセージ生成部で生成された変換ＳＭＳメッセージを前記通信部を通して前記ルーティング機能を有するノードに供給する変換ＳＭＳメッセージ供給部と、
を備えていることを特徴とするゲートウェイ機能を有するノード。
【００３２】
上記（８）のゲートウェイ機能を有するノードは、送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けての転送を可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等の前記ルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されるショートメッセージサービスシステムに適合する。
【００３３】
そして、このゲートウェイ機能を有するノードは、通信部と、受信側ユーザ端末装置グループ識別部と、変換ＳＭＳメッセージ生成部と、変換ＳＭＳメッセージ供給部と、を備えている。
前記通信部は、前記受信側通信事業者網におけるＨＬＲ、および、受信側通信事業者網における前記ルーティング機能を有するノードを含む関連ノードとの通信を行う。
【００３４】
また、前記受信側ユーザ端末装置グループ識別部は、前記通信部を通して前記ルーティング機能を有するノードから供給された前記ルーティング情報に付帯し既定の受信側ユーザ端末装置グループを表すグループコードを含む前記識別子である限定的識別子の前記グループコードに基づいて受信側ユーザ端末装置グループを識別する。
更に、前記変換ＳＭＳメッセージ生成部が、前記ＳＭＳメッセージを前記受信側ユーザ端末装置グループ識別部で識別された受信側ユーザ端末装置グループに適合する態様に変換するＳＭＳメッセージに変換処理を実行して変換ＳＭＳメッセージを生成する。
【００３５】
そして、前記変換ＳＭＳメッセージ供給部が、前記変換ＳＭＳメッセージ生成部で生成された変換ＳＭＳメッセージを前記通信部を通して前記ルーティング機能を有するノードに供給する。
上記のように変換ＳＭＳメッセージ供給部から前記ルーティング機能を有するノードに供給される変換ＳＭＳメッセージは、該当する各受信側ユーザ端末装置に適合する態様のものである。
従って、各該当する受信側ユーザ端末装置では、前記ルーティング機能を有するノードから各自装置に適合する態様のＳＭＳメッセージ（変換ＳＭＳメッセージ）を受信できる。
【００３６】
（９）３ＧＰＰ（The 3rd Generation Partnership Project）において規定されたＧＭＳＣ（Gateway Mobile Switching Centre）として構成されていることを特徴とする（８）のゲートウェイ機能を有するノード。
上記（９）のゲートウェイ機能を有するノードは、（８）のゲートウェイ機能を有するノードにおいて特に、３ＧＰＰ（The 3rd Generation Partnership Project）において規定されたＧＭＳＣ（Gateway Mobile Switching Centre）適合する。
【００３７】
（１０）送信側ユーザ端末装置から発信され送信側通信事業者網におけるＳＭＳＣ（ショートメッセージサービスセンター）に保持されたＳＭＳメッセージを受信側通信事業者網における受信側ユーザ端末装置に向けて転送することを可能にする機能を有し前記送信側通信事業者網に設けられたゲートウェイ機能を有するノードと、
前記ゲートウェイ機能を有するノードから前記受信側通信事業者網におけるＨＬＲに向けて発されるルーティング問合せ信号に対応するＩＭＳＩを含む加入者に係る情報および在圏情報等のルーティング情報を前記ＨＬＲから取得し、既定様式の識別子を該取得した前記ルーティング情報に対応付けて割当て、該割当てた識別子および前記ルーティング情報を前記ゲートウェイ機能を有するノードに供給し、該供給に応じて前記ゲートウェイ機能を有するノードから返される識別子および前記ルーティング情報と共に前記ＳＭＳメッセージを受信し、該受信したＳＭＳメッセージを該当する受信側ユーザ端末装置に配信することを可能にする機能を有し前記受信側通信事業者網に設けられたルーティング機能を有するノードと、
を含んで構成されたショートメッセージサービスシステムにおけるＳＭＳメッセージ転送方法であって、
前記ルーティング機能を有するノードによって、既定の各受信側ユーザ端末装置グループ毎のグループ属性およびグループコードを含む受信側ユーザ端末装置グループデータから選択したグループコードを含み且つ前記既定様式を充足する前記識別子である限定的識別子を形成し、前記限定的識別子を前記ルーティング情報と共に前記ゲートウェイ機能を有するノードに供給する受信側ユーザ端末装置グループ情報供給ステップと、
前記ゲートウェイ機能を有するノードによって、前記受信側ユーザ端末装置グループ情報供給ステップで供給された前記限定的識別子のグループコードに基づいて対応する受信側ユーザ端末装置グループを識別し、前記ＳＭＳメッセージを該識別した受信側ユーザ端末装置グループに適合する態様に変換するＳＭＳメッセージ変換処理を実行して変換ＳＭＳメッセージを生成し、該生成した変換ＳＭＳメッセージを前記ルーティング機能を有するノードに供給する変換ＳＭＳメッセージ供給ステップと、
前記ルーティング機能を有するノードによって、前記変換ＳＭＳメッセージ供給ステップで供給された前記変換ＳＭＳメッセージである場合を含むＳＭＳメッセージを該当する受信側ユーザ端末装置に配信するＳＭＳメッセージ配信ステップと、
を含むことを特徴とするＳＭＳメッセージ転送方法。
上記（１０）のＳＭＳメッセージ転送方法によれば、各該当する受信側ユーザ端末装置では、前記ルーティング機能を有するノードから各自装置に適合する態様のＳＭＳメッセージ（変換ＳＭＳメッセージ）を受信できる。
【発明の効果】
【００３９】
送信側の通信事業者において簡易な方策を講じることによって、他網の受信側端末装置においては機体毎の仕様の差異等によらず、利用者に十分な利便性を提供可能なショートメッセージサービスシステム、ゲートウェイ機能を有するノード、ルーティング機能を有するノード、および、ＳＭＳメッセージ転送方法が実現される。
【図面の簡単な説明】
【００４０】
【図１】本発明の一つの実施の形態としてのショートメッセージサービスシステムを表す機能ブロック図である。
【図２】図１のショートメッセージサービスシステムにおいて適用される識別子の様式を例示する概念図である。
【図３】本発明の一つの実施の形態としてのルーティング機能を有するノードを例示する概念図である。
【図４】本発明の一つの実施の形態としてのゲートウェイ機能を有するノードを例示する概念図である。
【発明を実施するための形態】
【００４１】
以下に、図面を参照して本発明の実施の形態について詳述することにより、本発明を明らかにする。
（システムの構成の概要）
図１は、本発明の一つの実施の形態としてのショートメッセージサービスシステムを表す機能ブロック図である。
図１では、受信側の通信事業者が運営するネットワークをホーム網１００とし、送信側の通信事業者が運営するネットワークを他網２００とし、上記以外の第三者が運営するネットワークを第三者網３００とする視点で各網を区分して表記している。
尚、送信側の通信事業者および受信側の通信事業者のうち少なくとも受信側の通信事業者は、Home Routing対応事業者であるものと仮定している。
【００４２】
また、ホーム網１００、他網２００、および、第三者網３００は三者において同様の各機能を有するノードおよびサーバを含んで構成され得るが、図１では、他網２００からホーム網１００にＳＭＳメッセージを送るに際して説明されるべきノードおよびサーバに関して限定的に表記している。
ホーム網１００には、ＨＬＲ（Home Location Register）１１０、ルーティング機能を有するノード（以下、SMS-Router）１２０、および、交換・パケット伝送機能ノード（ＭＳＣ／ＳＧＳＮ）１３０が設置され、このＭＳＣ／ＳＧＳＮ１３０から受信側ユーザ端末装置１４０にＳＭＳメッセージが伝送される。
他網２００、には、ショートメッセージサービスセンター（ＳＭＳＣ）２１０、ゲートウェイ機能を有するノード（以下、ＧＭＳＣ）２２０、および、ＨＬＲ２３０が設置され、ＧＭＳＣ２２０がホーム網１００のＨＬＲ１１０およびSMS-Router１２０と通信を行う。
第三者網３００にもＭＳＣ／ＳＧＳＮ３１０が設置されている。
【００４３】
（システムにおけるＳＭＳメッセージの伝送手順）
他網２００における図示しない送信側ユーザ端末装置から発信されたＳＭＳメッセージはＳＭＳＣ２１０に一旦保持される。
ＳＭＳＣ２１０は、上述のように一旦保持されたＳＭＳメッセージを受信側ユーザ端末装置１４０に向けて送信するべくＧＭＳＣ２２０に送信指令を発する……Ｐ１：MT。
ＳＭＳＣ２１０から上記Ｐ１での送信指令を受けたＧＭＳＣ２２０は、ホーム網１００のＨＬＲ１１０に向けてMSISDNによって受信側ユーザ端末装置を特定してルーティング問合せ信号（以下、SRI for SM）を発する……Ｐ２：SRI for SM(MSISDN)。
【００４４】
尚、以下、図１を参照しての説明においてSRI for SM等の信号を表す文字列に続けて括弧書きにて表記のものは当該信号における代表的パラメータの例示であり、この例に限られる趣旨ではない。この点は図１の表記において同様である。
上記Ｐ２での（SRI for SM）を受けたＨＬＲ１１０は受信側ユーザ端末装置が帰属する通信事業者がHome Routing対応事業者であることを確認した上、上記Ｐ２で受けた情報をSMS-Router１２０に転送する……Ｐ３：SRI for SM(MSISDN)。
【００４５】
上記Ｐ３でのSRI for SM(MSISDN)の転送を受けたSMS-Router１２０は、ＨＬＲ１１０に向けてMSISDNによって受信側ユーザ端末装置を特定してルーティング問合せ信号（以下、SRI for SM）を発し、これに対するＨＬＲ１１０からの応答（SRI for SM.ack）として受信側ユーザ端末装置に係るＩＭＳＩ（International Mobile Subscriber Identity）および在圏情報等のこの種の通信における該当する所要の情報（以下、ルーティング情報）を取得する。そして、取得したルーティング情報を一時的に記憶部に保持する……Ｐ４：SRI for SM(MSISDN)⇒SRI for SM.ack。
【００４６】
上記Ｐ４でルーティング情報を得たSMS-Router１２０は、Home Routingにおける既定様式の識別子（以下、Correlation-ID）をＰ４で取得したルーティング情報に対応付けて割当て、該割当てたCorrelation-IDが付帯したルーティング情報をＧＭＳＣ２２０に供給する……Ｐ５：SRI for SM.ack（Correlation-ID）。
ここに、Correlation-IDとは、受信側ユーザ端末装置の網（ホーム網１００）にSMS-Routerが設置されている場合に限り使用される識別子であり、ＳＭＳメッセージの転送信号と直前の問い合わせ信号とを対応付けるために用いられる。
【００４７】
図２は、このような識別子であるCorrelation-IDの様式を示す概念図である。
図示のように、全体で１５digits（桁）のうち、冒頭の３digitsが所属する国を表すMCC(Mobile Country Code)のフィールド、これに続く３digitsが所属する通信事業者を表すMNC(Mobile Netwok Code)のフィールド、そして、それ以降の９digitsが個々のユーザ（加入者）を表すSender IDのフィールドである。Sender IDには任意の値を付与することが許容される。本発明の実施の形態では、この点に着目してSender IDとして割り当てられた９digitsのフィールドにおける冒頭部に既定の受信側ユーザ端末装置グループを表すグループコード(Group ID)を含む形態の限定的識別子を定義している。
【００４８】
尚、上述のグループコード(Group ID) のフィールドは、更に、サービスの種別を表すフィールド、端末の種別を表すフィールド、および、その他の事象を表すフィールド等々、目的に適合するように適宜に区分し、それら区分されたフィールドを所要に応じ適切に組み合わせられた態様で用いるようにしてもよい。
この場合、Sender IDのフィールドを上記に例示されているよりも拡張されたサイズのフィールドとして設定することによって、更に多くの情報を含んでバリエーションに富んだ機能を実現することができる。
【００４９】
上述のような限定的識別子におけるグループコード (グループ値)と対応するグループの属性に関するデータテーブルが図１における右上に例示されている。
この例では、グループコードＩＤ１が連結ＳＭＳ非対応端末のグループであり、ＩＤ２がＭＭＳ提供グループであり、ＩＤ３が絵文字変換グループである。尚、
連結ＳＭＳは、１通が７０文字に制限されているＳＭＳメッセージを３通分連結して３通分の情報が見かけ上１通の如くして取り扱うことを可能にするサービスである。また、ＭＭＳ（Multimedia Message Service）は、テキスト、オーディオ、或いは、ビデオメッセージの生成、配信等を行うサービスである。更に、絵文字変換は他の通信事業者との間で対応する絵文字との相互変換が行われるサービスである。
【００５０】
上記Ｐ５で限定的識別子およびルーティング情報を受けたＧＭＳＣ２２０では、限定的識別子におけるCorrelation-IDのグループコードに基づいて対応する受信側ユーザ端末装置グループを識別する。そして、送信対象であるＳＭＳメッセージを該識別した受信側ユーザ端末装置グループに適合する態様に変換するＳＭＳメッセージ変換処理を実行して変換ＳＭＳメッセージ（SM of converted form）を生成する。
【００５１】
上述のようなグループコードによって表されている受信側ユーザ端末装置グループと、該グループに対応するＳＭＳメッセージ変換処理が、図１の左下に例示されている。この例示は、送信網２００を運営するＡ通信事業者が保有するテーブルの内容である。
この例では、グループコードＩＤ１については連結ＳＭＳを通常のＳＭＳメッセージに変換する処理を行い、ＩＤ２についてはＭＭＳ対応の端末装置であるのでＭＭＳのデータを送信対象として扱う処理を行う。
【００５２】
ＧＭＳＣ２２０は、上述のようにして生成した変換ＳＭＳメッセージをSMS-Router１２０に送る……Ｐ６：MT for SM(Correlation-ID)。
SMS-Router１２０は、上記Ｐ６で受けた変換ＳＭＳメッセージを該当する受信側ユーザ端末装置に配信する。この配信に際してはCorrelation-IDではなく、上記Ｐ４で取得し記憶部に保持してある正規のＩＭＳＩによってこの配信を行う。また、この配信は、第三者網３００に在圏している受信側ユーザ端末装置に対しても、そのＭＳＣ／ＳＧＳＮ３１０を通して行うことができる…Ｐ７：MT(IMSI)。
【００５３】
SMS-Router１２０は、上記Ｐ７での配信が完了すると、完了の旨の応答をＧＭＳＣ２２０に返す。そして、記憶部に一時的に保持していたルーティング情報を消去する……Ｐ８：MT for SM.ack。
以上、Ｐ１からＰ８までの処理のうち、Ｐ５までは、SMS-Router１２０によってCorrelation-IDを含む限定的識別子を形成し、前記限定的識別子をＩＭＳＩや在圏情報等のルーティング情報と共にＧＭＳＣ２２０に供給する受信側ユーザ端末装置グループ情報供給ステップとして概括される。
【００５４】
また、Ｐ６は、ＧＭＳＣ２２０によって、上述の受信側ユーザ端末装置グループ情報供給ステップで供給された限定的識別子のグループコードに基づいて、対応する受信側ユーザ端末装置グループを識別し、ＳＭＳメッセージを該識別した受信側ユーザ端末装置グループに適合する態様に変換するＳＭＳメッセージ変換処理を実行して変換ＳＭＳメッセージを生成し、該生成した変換ＳＭＳメッセージをSMS-Router１２０に供給する変換ＳＭＳメッセージ供給ステップと見做せる。
【００５５】
更に、Ｐ７は、SMS-Router１２０によって、上述の変換ＳＭＳメッセージ供給ステップで供給された変換ＳＭＳメッセージを該当する受信側ユーザ端末装置に配信する変換ＳＭＳメッセージ配信ステップと見做せる。
そして、以上のような各ステップを含んでなるＳＭＳメッセージ転送方法によれば、各該当する受信側ユーザ端末装置では、SMS-Router１２０から各自装置に適合する態様のＳＭＳメッセージ（変換ＳＭＳメッセージ）を受信できる。
更にまた、Ｐ１からＰ８までの処理を敷衍すれば、次のような技術思想であるということができる。
【００５６】
即ち、送信側通信事業者網におけるＳＭＳＣ（ショートメッセージサービスセンター）に保持されたＳＭＳメッセージを前記送信側通信事業者網におけるゲートウェイ機能を有するノードから受信側通信事業者網におけるルーティング機能を有するノードを経て受信側ユーザ端末装置に転送するＳＭＳメッセージ転送方法であって、
前記受信側ユーザ端末装置に係る仕様情報を前記ルーティング機能を有するノードから前記ゲートウェイ機能を有するノードに供給する受信側ユーザ端末装置情報供給ステップと、
前記受信側ユーザ端末装置情報供給ステップで供給された前記受信側ユーザ端末装置に係る仕様情報に基づいて、前記ゲートウェイ機能を有するノードが、前記ＳＭＳメッセージを前記受信側ユーザ端末装置の仕様に適合する態様の変換ＳＭＳメッセージを生成し、該生成した変換ＳＭＳメッセージを前記ルーティング機能を有するノードに供給する変換ＳＭＳメッセージ供給ステップと、
前記変換ＳＭＳメッセージ供給ステップで供給された前記変換ＳＭＳメッセージを前記ルーティング機能を有するノードによって前記受信側ユーザ端末装置に配信する変換ＳＭＳメッセージ配信ステップと、
を含むことを特徴とするＳＭＳメッセージ転送方法。
上述のようなＳＭＳメッセージ転送方法によれば、受信側ユーザ端末装置では、前記ルーティング機能を有するノードから自装置の仕様に適合するように予め変換されたＳＭＳメッセージ（変換ＳＭＳメッセージ）を受信できる。
【００５７】
（ルーティング機能を有するノード（SMS-Router）の構成）
次に、図３を参照して、SMS-Router１２０の構成について説明する。
図３は本発明の一つの実施の形態としてのルーティング機能を有するノード（SMS-Router）を例示する概念図である。
このSMS-Router１２０は、基本的に、既述の図１のショートメッセージサービスシステムに適合する。そして、受信側ユーザ端末装置グループデータ取得部１２１、限定的識別子形成処理部１２２、通信部１２３、グループ情報通知処理部１２４、配信処理部１２５、および、記憶部１２６を含んで構成される。
【００５８】
受信側ユーザ端末装置グループデータ取得部１２１は、ＨＬＲ１１０から、既定の各受信側ユーザ端末装置グループ毎のグループ属性およびグループコードを含む受信側ユーザ端末装置グループデータを、各受信側ユーザ端末装置グループを一意に特定するグループコードであるグループＩＤと対応付けられる形で取得する。そして、取得された受信側ユーザ端末装置グループデータと上記グループＩＤが対応付けられて形成されるデータテーブルが記憶部１２６に保持され得る。
【００５９】
限定的識別子形成処理部１２２は、受信側ユーザ端末装置グループデータ取得部１２１によって取得され一時的に保持された受信側ユーザ端末装置グループデータから一以上のグループコードを選択し、該選択した一以上のグループコードを含み且つ既定様式を充足するように限定的識別子を形成する。そして、この限定的識別子形成処理部１２２は、既定様式の識別子としての３ＧＰＰ（The 3rd Generation Partnership Project）において規定されたSMS Home Routingの仕様の一つである、図２を参照して既述のCorrelation-IDの部分を構成するSender IDにおいてグループコードを表記することによって限定的識別子を形成するように構成され得る。
【００６０】
通信部１２３は、受信側通信事業者網（ホーム網）１００におけるＨＬＲ１１０、および、送信側通信事業者網（送信側網）２０におけるＧＭＳＣ２２０を含む関連ノードとの通信を行う。
グループ情報通知処理部１２４は、限定的識別子形成処理部１２２で形成された限定的識別子をＩＭＳＩや在圏情報等の既述のルーティング情報と共に通信部を１２３通してＧＭＳＣ２２０に供給する。
【００６１】
配信処理部１２５は、ＧＭＳＣ２２０から通信部１２３を通して供給された変換ＳＭＳメッセージを通信部１２３を通して該当する受信側ユーザ端末装置に配信する。
記憶部１２６は、上述のデータテーブル、およびＰ４で、ＨＬＲ１１０から取得したルーティング情報等を一時的に保持する。
SMS-Router１２０は、３ＧＰＰ（The 3rd Generation Partnership Project）において規定されたSMS Home Routingの仕様であるSMS-Routerとして適合するように構成され得る。
【００６２】
（ゲートウェイ機能を有するノード（ＧＭＳＣ）の構成）
次に、図４を参照して、ＧＭＳＣ２２０の構成について説明する。
図４は本発明の一つの実施の形態としてのゲートウェイ機能を有するノード（ＧＭＳＣ）を例示する概念図である。
このＧＭＳＣ２２０は、基本的に、既述の図１のショートメッセージサービスシステムに適合する。そして、通信部２２１、受信側ユーザ端末装置グループ識別部２２２、変換ＳＭＳメッセージ生成部２２３、および、変換ＳＭＳメッセージ供給部２２４を含んで構成される。
【００６３】
通信部２２１は、受信側通信事業者網（ホーム網）１００におけるＨＬＲ１１０、および、受信側通信事業者網１００におけるSMS-Router１２０を含む関連ノードとの通信を行う。
受信側ユーザ端末装置グループ識別部２２２は、通信部２２１を通してSMS-Router１２０から供給された限定的識別子に含まれるグループコードに基づいて受信側ユーザ端末装置グループを識別する。
【００６４】
変換ＳＭＳメッセージ生成部２２３は、ＳＭＳメッセージを受信側ユーザ端末装置グループ識別部２２２で識別された受信側ユーザ端末装置グループに適合する態様に変換するＳＭＳメッセージ変換処理を実行して変換ＳＭＳメッセージを生成する。
変換ＳＭＳメッセージ供給部２２４は、変換ＳＭＳメッセージ生成部２２３で生成された変換ＳＭＳメッセージを通信部２２１を通してSMS-Router１２０に供給する。
そして、上述のようなＧＭＳＣ２２０は、３ＧＰＰ（The 3rd Generation Partnership Project）において規定されたＧＭＳＣ（Gateway Mobile Switching Centre）として構成され得る。
【符号の説明】
【００６５】
１００………………ホーム網
１１０………………ＨＬＲ（Home Location Register）
１２０………………ルーティング機能を有するノード（SMS-Router）
１２１………………受信側ユーザ端末装置グループデータ取得部
１２２………………限定的識別子形成処理部
１２３………………通信部
１２４………………グループ情報通知処理部
１２５………………配信処理部
１２６………………記憶部
１３０………………交換・パケット伝送機能ノード（ＭＳＣ／ＳＧＳＮ）
１４０………………受信側ユーザ端末装置
２００………………他網
２１０………………ショートメッセージサービスセンター（ＳＭＳＣ）
２２０………………ゲートウェイ機能を有するノード（ＧＭＳＣ）
２２１………………通信部
２２３………………受信側ユーザ端末装置グループ識別部
２２４………………変換ＳＭＳメッセージ供給部
２３０………………ＨＬＲ
３００………………第三者網
３１０………………交換・パケット伝送機能ノードＭＳＣ／ＳＧＳＮ
【図１】
0005658007.tif 000002
【図２】
0005658007.tif 000003
【図３】
0005658007.tif 000004
【図４】
0005658007.tif 000005